(57)【要約】  本発明は、前方範囲（６）、後方範囲（８）およびこれらに縦方向（２８）に挟まれた、使用者の脚部の間にくるべき股範囲（１０）からなる主要部（４）を有するおむつ（２）の製造方法であって、主要部（４）が吸収体（１２）を含みかつ後方範囲（８）の両側および／または前方範囲（６）の両側に取り付けられた側方部片（２０、２２）（この側方部片は主要部（４）の側方の縦方向縁（３２）を越えて横方向（３０）に延び、かつ、前方範囲（６）と後方範囲（８）とをおむつの着用された状態で相互に結合する）を具備しする。ここで、側方部片（２０、２２）が少なくとも股範囲（１０）と向い合う側面にて縦方向（２８）に対して斜めに延び、又は輪郭に倣って形成されており、おむつ（２）をその縦方向（２８）に製造し、かつ側方部片（２０、２２）の斜めの延び、又は輪郭倣いの形成のために材料切欠き部（６２）を側方部片（２０、２２）に形成する。おむつの製造方法は、両側の側方部片（２０、２２）を形成する材料ウェブ（５０）を縦方向（２８）に送ることと、連続する円周縁部を有する開口部（５２）を材料ウェブ（５０）に設けることによって側方部片（２０、２２）の斜めの延びないしは輪郭倣いを達成するための材料切欠き部（６２）を形成することと、その後に材料ウェブ（５０）を縦方向（２８）に部分ウェブ（５８）に分割し、この分割が開口部（５２）を貫くことと、これら２つの部分ウェブ（５８）からそれぞれ縦方向（２８）に交差して部片（６６）を分割することによって、両側に付加すべき側方部片（２０、２２）を形成し、かつ部片（６６）をそれぞれ後方範囲（８）および／または前方範囲（６）に取り付けることを特徴とする。
2010527668.tif 000002
【特許請求の範囲】
【請求項１】
前方範囲（６）、後方範囲（８）およびこれらに縦方向（２８）に挟まれた、使用者の脚部の間にくるべき股範囲（１０）からなる主要部（４）を有し、主要部（４）が吸収体（１２）を含むおむつ（２）の製造方法であって、前記おむつ（２）は、更に、後方範囲（８）の両側および／または前方範囲（６）の両側に取り付けられ、主要部（４）の側方の縦方向縁（３２）を越えて横方向（３０）に延び、かつ前方範囲（６）と後方範囲（８）とをおむつの着用された状態で相互に結合する側方部片（２０、２２）を具備し、側方部片（２０、２２）が少なくとも股範囲（１０）と向い合う側面にて縦方向（２８）に対して斜めに延び又は輪郭に倣って形成されており、おむつ（２）をその縦方向（２８）に製造し、かつ側方部片（２０、２２）の斜めの延び又は輪郭倣いの形成のために材料切欠き部（６２）を側方部片（２０、２２）に形成するおむつ（２）の製造方法において、両側の側方部片（２０、２２）を形成する材料ウェブ（５０）を縦方向（２８）に送ることと、連続する円周縁部を有する開口部（５２）を材料ウェブ（５０）に設けることにより側方部片（２０、２２）の斜めの延びないしは輪郭倣いを形成するための材料切欠き部（６２）を形成することと、その後に材料ウェブ（５０）を縦方向（２８）に部分ウェブ（５８）に分割しかつこの分割が開口部（５２）を貫くことと、これら２つの部分ウェブ（５８）からそれぞれ縦方向（２８）に交差して部片（６６）を分割することによって両側に付加すべき側方部片（２０、２２）を形成し、かつ部片（６６）をそれぞれ後方範囲（８）および／または前方範囲（６）に取り付けること、を特徴とするおむつの製造方法。
【請求項２】
縦方向での分割によって形成された部分ウェブ（５８）が互いに交差して送られ、その結果、主要部（４）に対するサイドの入替えが引き起こされ、分割された開口部（５２）が２つの部分ウェブ（５８）における材料切欠き部（６２）としてそれぞれ外側を向くことを特徴とする、請求項１に記載の方法。
【請求項３】
材料ウェブ（５０）を両側で少なくとも縦方向（２８）に走る折り線（３６、３８）でそれ自体に折り畳み込むことを特徴とする、請求項１または２に記載の方法。
【請求項４】
縦方向（２８）での材料ウェブ（５０）の分割前に止着手段（３４）を材料ウェブ（５０）に付加しかつそこで固定することを特徴とする、請求項１から３のいずれか１項に記載の方法。
【請求項５】
止着手段（３４）を縦方向（２８）を含む分割面（７０）の付近又はこの分割面の範囲内に付加することを特徴とする、請求項４に記載の方法。
【請求項６】
止着手段（３４）が引き続いての分割の延びをまたぎ、かつこの分割の過程で同様に切断されることを特徴とする、請求項４に記載の方法。
【請求項７】
開口部（５２）をほぼ楕円形に形成することを特徴とする、請求項１から６のいずれか１項に記載の方法。
【請求項８】
おむつが縦方向（２８）に連続して送られる場合に、１つのおむつの後方範囲（８）が他のおむつの後方範囲（８）に続き、かつ、１つのおむつの前方範囲（６）が他のおむつの前方範囲（６）に続くように製造することを特徴とする、請求項１から７のいずれか１項に記載の方法。
【請求項９】
おむつが縦方向（２８）に連続して送られる場合に１つのおむつの後方範囲（８）が他のおむつの前方範囲（６）に続くように製造することを特徴とする、請求項１から８のいずれか１項に記載の方法。
【請求項１０】
縦方向（２８）に交差して分離された各１つの部片（６６）が２つの連続して送られるおむつの側方部材（２０、２２）を形成することを特徴とする、請求項１から９のいずれか１項に記載の方法。
【請求項１１】
側方部片（２０、２２）が前方範囲（６）と後方範囲（８）とで異なって形成されていることを特徴とする、請求項１から１０のいずれか１項に記載の方法。
【請求項１２】
側方部片（２０、２２）が前方範囲（６）と後方範囲（８）とで使用される材料ウェブの材料、および／または単位面積当り重量、および／または通気性に関して異なることを特徴とする、請求項１１に記載の方法。
【請求項１３】
主要部（４）を形成する主要部ウェブ（６８）を１００〜６００ｍ／ｍｉｎ、特に１１０〜５００ｍ／ｍｉｎ、殊に１２０〜４００ｍ／ｍｉｎ、の速度ｖ１で送ることを特徴とする、請求項１から１２までのいずれか１項に記載の方法。
【請求項１４】
側方部片（２０、２２）を形成する材料ウェブ（５０）を５０〜３００ｍ／ｍｉｎ、特に５５〜２５０ｍ／ｍｉｎ、殊に６０〜２００ｍ／ｍｉｎ、の速度ｖ２で送ることを特徴とする、請求項１から１３のいずれか１項に記載の方法。
【請求項１５】
ｖ１に対するｖ２の比が０．２５〜０．７５、特に０．３０〜０．６５、特に０．３５〜０．６５、特に０．４０〜０．６０、さらに特に０．４５〜０．５５、であることを特徴とする、請求項１３又は１４に記載の方法。
【発明の詳細な説明】
【技術分野】
【０００１】
本発明は、前方範囲、後方範囲およびこれらに縦方向に挟まれた、使用者の脚部の間にくるべき股範囲からなる主要部を有するおむつの製造方法であって、主要部が吸収体を含みかつ後方範囲の両側および／または前方範囲の両側に取り付けられた側方部片（この側方部片は主要部の側方の縦方向縁を越えて横方向に延びかつ前方範囲と後方範囲とをおむつの着用された状態で相互に結合する）を具備し、この場合、側方部片が少なくとも股範囲と向い合う側面にて縦方向に対して斜めに延びるかないしは輪郭に倣って形成されており、この場合、おむつをその縦方向に製造し、かつ側方部片の斜めの延びないしは輪郭倣い(Konturierung)の達成のために材料切欠き部を側方部片に形成するおむつの製造方法に関する。
【背景技術】
【０００２】
前述のおむつは公知でありかつ例えば国際公開第２００５／１０２２４１号パンフレット（Ａ１）に記載されている。それはしばしば、成人用の比較的張り出した失禁用品として使用される。吸収体を含むおむつ主要部の前方範囲および後方範囲のいずれにも横方向ないしは腰回り方向に延びる前記側方部片が取り付けられていることは可能でもありかつ望ましくもある。側方部材が主要部の前方範囲にのみかまたは後方範囲にのみ取り付けることもまったく同様に可能であり、これはつまり例えば当該側方部材が使用者の腰回り方向に巻き付けられてそれ自体で締められかつ従っておむつの一種のベルトを形成する場合である。
【０００３】
冒頭に記載の種類のおむつまたは特殊な場合には失禁用品が腰回り方向に著しく突き出た側方部片を有することができるため、特にこの腰回り方向と交差しての、つまり製造縦方向でのこの製品の製造は高速製造機械では非常に困難であり、これは側方部片を形成する材料を高速度での製造機械では正確に送ることが不可能であるかあるいは高いコスト下でのみ可能であるからである。製造機械における殊に個別化された又は機械方向に対してアンダーカット(hinterschnittenen)された部片の上向きのばたつき(Aufflatterns)という問題が厄介であるのは明らかである。
【発明の概要】
【発明が解決しようとする課題】
【０００４】
本発明の課題は、側方部片の形状および付加の前記問題をより良好に抑制可能にする、冒頭に記載の種類のおむつの製造方法を提供することである。
【課題を解決するための手段】
【０００５】
この課題は上記種類の方法において本発明によれば、両側の側方部片を形成する材料ウェブを縦方向で送ることと、連続する円周縁部を有する開口部を材料ウェブに設けることによって、側方部片の斜めの延びないしは輪郭倣いを達成するための材料切欠き部を形成することと、その後で材料ウェブを縦方向に部分ウェブに分割しかつこの分割が前記開口部を貫くことと、これら２つの部分ウェブからそれぞれ縦方向に交差して部片を分割することによって、両側に付加すべき側方部片を形成し、かつ部片をそれぞれ後方範囲および／または前方範囲に取り付けることによって解決される。
【０００６】
つまり縦方向に切れ目なく送られる材料ウェブ（この材料ウェブからおむつの側方部片が形成される）に全側面（部）が取り囲まれた開口部が設けられる、とりわけ切り抜かれる、ないしは打ち抜かれるのである。この開口部により次に分割後に側方部片の斜めの延びないしは輪郭倣いが側方部片の少なくともおむつの股範囲と向い合う側面に形成される。側方部片はその際にはおむつ主要部の股範囲とも一緒になっておむつの股ぐりを境界付ける。本発明による方法はその点では、上記の開口部がもたらされることによって材料ウェブが縦方向ないしは機械方向になお依然として連続的につながってかつ外側縁部にてアンダーカットなしに延びていると好適であることは明らかである。そのかぎりではウェブを問題なく送ることができる。分離切断もしくは分割切断により前記開口部が好ましくは対称的ないしは半分に貫かれる材料ウェブの縦方向での分割の場合にも、材料ウェブないしは縦方向での分割後に生じた部分ウェブは、付加すべき側方部片に次に縦方向に交差して個別化されるまでは縦方向ないしは機械方向でつながったままである。
【０００７】
材料ウェブを縦方向に分割した後にこれにより生じた２つの部分ウェブを切れ目なく先ずはロールに巻き取り、後で使用するために一時貯蔵してもよいこともここで指摘しておきたい。その場合、さらなる使用および付加のために切れ目なく巻き取られた部分ウェブは再び繰り出され、縦方向に送られるおむつ主要部の前方範囲および／または後方範囲に取り付けられる。これもまた本発明の概念に含まれると見なすことができる。
【０００８】
もう１つの発明の概念によれば、縦方向での材料ウェブの分割によって得られた部分ウェブが互いに交差して送られ、その結果、主要部に対するサイドの入替えが引き起こされ、２つの部分ウェブの分割された開口部がそれぞれ外側を向く。しかしながら、本発明による方法がこの特に好適な別法なしでも実施可能であることを強く指摘しておきたい。
【０００９】
腰回り方向に著しく突き出た側方部片を有するおむつにおいて殊に、材料ウェブが両側で、少なくとも縦方向に延びる１本の折り線で、それ自体に折り畳み込まれると好適であることは明らかである。好適には材料ウェブは両側で少なくとも２本の折り線で、とりわけ３もしくは４本の折り線で、それ自体に折り畳み込まれる。
【００１０】
この縦方向に延びる折り線で材料ウェブを折ることは、各側方部片の長さが横方向に、つまり縦方向に対して垂直に展開された状態で主要部の縦方向縁を越えて少なくとも１０ｃｍ、特に少なくとも１５ｃｍ、特に少なくとも１８ｃｍ、さらに特に少なくとも２０ｃｍである場合に特に好適である。
【００１１】
それ自体に折り畳み込まれかつ平面状に接し合う側方部片の部分領域どうしがこの折り畳まれた形状で取外し可能に互いに固定され、従って製造機械における上向きのばたつきをさらに阻止することができると好適であることはさらに明らかである。当然のことながら、その部分領域で相互に折り重ねられた材料部片は好ましくは次のように取外し可能に固定される、つまり、側方部片にて１回引張られることによって折り畳まれたものが広げられる際にこの取外し可能な固定が本質的な抵抗なしに分離可能であるようになされる。この目的のためには、相互に折り重ねられた側方部片の部分領域の取外し可能な固定が熱および／または超音波により生じさせた結合箇所によって形成されているととりわけ好適であることが明らかである。しかしながら、これから逸脱して、あるいは追加的に圧感接着剤による接合も可能かつ好適となる。
【００１２】
側方部片の相互に折り重ねられた部分領域は、側方部片のつかみ部が取り付けられた(anfixiert)まま使用者または介護スタッフの指で十分に把持可能に取外し可能に相互に固定されることが好ましい。とりわけ側方部片は、このつかみ部がその折り畳まれた形状から横に突き出るように折り畳まれる。
【００１３】
とりわけ円周方向に比較的大きな長さを有する側方部片の場合には、側方部片が縦方向に主要部への取付範囲内で少なくとも１０ｃｍ、特に少なくとも１４ｃｍ、特に少なくとも１８ｃｍ、さらに特に少なくとも２２ｃｍ、の縦方向の長さを有するように材料ウェブが縦方向に交差して分割されると好適であることが明らかである。
【００１４】
本発明の別の形態の場合には、縦方向での材料ウェブの分割前に止着手段が材料ウェブに付加されかつそこで固定されることが提案されることが特に重要である。この止着手段は、おむつが使用者または看護スタッフによって当てられる際におむつを腰回り方向に締めるのに使用される。これはそれ自体任意の、接着する又は機械的に作用する（例えばフック材／アイ材による）止着手段でもよく、これはおむつ製造時に好ましくは同様に連続ウェブ材料をもとに供給され、送り方向に交差して分割されてから、製造すべきおむつに付加されかつそこで固定される（カット・アンド・プレイス法(cut-and-place-Verfahren)）。
【００１５】
その際、止着手段が縦方向の分割箇所の付近、又はこの分割箇所の範囲内に付加されると好適であることがさらに明らかである。これはそれぞれ２つの側方部片（左／右）に割り当てられる止着手段が本発明による方法の場合には、従来技術の場合のように左右外側にではなく、近くに隣り合って付加され、そのことによりプロセス上の出費がさらに引き下げられるのであるから製造技術的に好適である。この発明概念の別の形態の場合には止着手段は、引き続いての分割の延びをまたぎかつこの分割の過程で同様に切断されるように付加される。この発明の変形形態によれば、つまり該当する止着手段支持体の一部片が前記２つの止着手段を形成する。これは本方法および本方法を実施するための装置のさらなる簡素化を表わしている。
【００１６】
材料ウェブに形成すべき開口部がそれ自体任意に形成されていてもよく、つまり特に円形に、もしくは楕円形に、もしくは多角形に形成されていてもよいが、その後で後の側方部片の丸みづけられた延びに再び見いだされる丸みづけられた、好ましくはほぼ楕円形の輪郭を有する開口部が形成されると好適であることは明らかである。
【００１７】
基本的な別法によれば、おむつは、縦方向に連続して送られるおむつの場合に、一おむつの後方範囲が他のおむつの後方範囲に続きかつ一おむつの前方範囲が他のおむつの前方範囲に続くように製造されることは可能でありかつ好適である。これに対する代替として、一おむつの後方範囲が他のおむつの前方範囲に続くことが可能である。
【００１８】
それにもかかわらず、縦方向と交差する材料ウェブないしはその部分ウェブからの部片の分離が、縦方向に交差して分離された各１つの部片が２つの連続して送られるおむつの側方部材を形成するように実施されると好適であることが明らかである。これはその場合には、連続して送られるおむつの前方範囲に隣接する後方範囲と後方範囲でも、前方範囲と前方範囲でも、あるいはどちらも後方範囲でもよい。このようなケースでは次に、連続して送られるおむつの側方部片の個別化は、縦方向に連続するウェブからのおむつの個別化と同時に行なわれる。
【００１９】
材料ウェブ、ひいてはおむつ主要部に取り付けられる側方部片は好ましくは不織布から形成されており、とりわけかつ好ましくはスパンボンド材料（Ｓ）またはスパンボンド−メルトブローン材料（ＳＭ）、あるいは両側にスパンボンド材料が備えられたメルトブローン層（ＳＭＳ）あるいはまたカードウェブ材料を使用することができる。不織布積層物、つまり特に２層、３層もしくはそれ以上の層の前記不織布の組合せ、も使用することができる。個々の層の結合はそれ自体通常で公知の方法、例えば熱的接合方法（溶接、特にレーザー溶接）、によって又は超音波溶接法によって行うことができ、不織布材料の冷間プレス、ニードリング、縫合または接着も可能である。好ましくはおむつ主要部の側方に取り付けられる側方部片は少なくとも部分的に通気性を有するように形成され、その際、殊に、換気も、水蒸気の形態の湿気に対する透過も可能にする微細孔性が好適と見なされる。側方部片は好適には単位面積当り重量１０〜１５０ｇ／ｍ２、特に１５〜１００ｇ／ｍ２、さらに特に２０〜５０ｇ／ｍ２、を有する。
【００２０】
さらに、側方部片が前方範囲と後方範囲とで異なって形成されると好適であると証明することができる。側方部片は、例えば止着手段の種類、性質もしくは配置に関して異なっていてもよいか、あるいは側方部片は使用される材料ウェブの材料および／または単位面積当り重量および／または通気性に関して異なっていてもよい。最後のケースでは前方範囲および後方範囲における側方部片の製造の際に各１つの連続ウェブ材料が製造装置に供給されかつ本発明により処理される。
【００２１】
主要部を形成する主要部ウェブが１００〜６００ｍ／ｍｉｎ、特に１１０〜５００ｍ／ｍｉｎ、殊に１２０〜４００ｍ／ｍｉｎ、の速度ｖ１で送られると好適であることがわかった。
【００２２】
さらに、側方部片となる材料ウェブが５０〜３００ｍ／ｍｉｎ、特に５５〜２５０ｍ／ｍｉｎ、殊に６０〜２００ｍ／ｍｉｎ、の速度ｖ２で送られると好適であることがわかった。
【００２３】
特に好適であることが判明しているのは、ｖ１に対するｖ２の比が０．２５〜０．７５、特に０．３０〜０．６５、特に０．３５〜０．６５、特に０．４０〜０．６０、さらに特に０．４５〜０．５５、である場合である。
【００２４】
本発明のさらなる特徴、詳細および利点は添付の特許請求の範囲、図面および本発明による方法およびこの方法により製造されるおむつの実施形態の次の説明から明らかである。
【図面の簡単な説明】
【００２５】
【図１】本発明による方法を用いて製造すべきおむつを平面図で概略的に示した図である。
【図２ａ】図１のおむつの異なる折り畳み状態を示した図である。
【図２ｂ】図１のおむつの異なる折り畳み状態を示した図である。
【図２ｃ】図１のおむつの異なる折り畳み状態を示した図である。
【図３ａ】側方部片を形成する材料ウェブの送りが示されている、本発明による製造方法を概略的に示した図である。
【図３ｂ】主要部を形成する主要部ウェブの送りが示されている、本発明による製造方法を概略的に示した図である。
【図４】おむつへの側方部片の取付を概略的に示した図である。
【図５】一実施形態により止着手段が付加された材料ウェブの断面を概略的に示した図である。
【図６】他の実施形態により止着手段が付加された材料ウェブの断面を概略的に示した図である。
【発明を実施するための形態】
【００２６】
図１および２には、本発明による方法により製造すべきおむつ２が異なる折り畳み状態で示されている。おむつ２には、全体として符号４で示された、しばしばシャーシ(Chassis)とも呼ばれるおむつ主要部が含まれる。主要部４には前方範囲６、後方範囲８およびこれらに挟まれた股範囲１０が含まれ、この股範囲はおむつ２が使用者に着用された場合に使用者の脚部の間にくることになる。主要部４には吸収体１２も含まれ、この吸収体は体液の吸収および持続的な貯蔵のために適当に寸法決定されている。吸収体１２は、失禁用品の外側の層側面にもなりうる液体不透過性の層１４により支えられているのが通常である。さらに吸収体１２は、液体透過性の層１６（トップシート）により覆われているのが通常である。さらに吸収体１２の両側に延在する弾性のエレメント１８が示されており、このエレメントは応力がかかった、好ましくは弾性延伸可能な材料を含んでもよい。とりわけ主要部４は側面に立つ障壁手段を有してもよく、この障壁手段は横漏れ防止を形成しかつ吸収体の側面を包囲する。この立ち上がった障壁手段には同様に弾性の初期応力下にある弾性化手段が含まれる。おむつ２の前記部材は主要部４を形成するかないしは主要部４に割り当てられることができる。
【００２７】
おむつ２にはさらに前方範囲６および後方範囲８の両側に取外し不可能に取り付けられた側方部片２０および２２が含まれる。側方部片２０、２２は主要部４の縦方向縁区分２４および２６に取外し不可能に取り付けられている。側方部片２０、２２はおむつ２の縦方向２８に対し垂直な横方向３０で腰回り方向に主要部２の縦方向の側縁３２を越えて延びている。側方部片２０、２２はおむつ２の着用時に使用者の腰回り方向に巻き付けられかつ通常互いに締め合わされる。前方および後方の側方部片２０、２２相互の固定のために、例示されたケースでは後方範囲８の側方部片２２に示された止着手段３４が自体公知の、従って詳説されない方法で備えられている。
【００２８】
おむつ２が前方範囲６のみか又は後方範囲８のみに側方部片を有することも可能であり、この側方部片はその場合にはしかし、腰回り方向にそれ自体に又はおむつ２の主要部４に閉じられるようにするために横方向３０に前述の概略説明より張り出して形成されている。
【００２９】
図２ａ〜図２ｃからわかるように、Ｚ字形の折りもしくは経本折りが生じるように各側方部片２０、２２は縦方向３８でそれ自体に折り畳み込まれている。この折り畳まれた形状はその場合、図２ａに示されているように、主要部４の縦方向の側縁３２にほぼ沿って延びるもう１つの折り線４０で主要部４に折り重ねられている。
【００３０】
側方部片２０、２２が股範囲１０と向い合うか又は股範囲１０の部分的な境界を付けるその側面にて縦方向２８に対して斜めに延びていることが図１および図２ａ〜図２ｃからわかる。側方部片２０、２２の縁４２ないしは４４はつまり正確には横方向３０にではなく、この横方向ないしは縦方向２８に対して斜めに延びており、従って好ましくは弓状に延びる輪郭が形成されている。しかしまた縁４２もしくは４４は直線であるが、縦方向２８ないしは横方向３０に対して斜めに延びていてもよく、その結果、側方部片および股ぐり４６のくさび形が形成されている。
【００３１】
このおむつ２の製造にとって、側方部片２０、２２を形成する材料ウェブが縦方向に、切れ目なく供給されると好適であることが明らかである。
【００３２】
このような場合には縁４２、４４は切断過程によって形成される、即ち、製造すべきおむつ２の股範囲１０ないし股ぐり４６にはその後に材料切欠き部が材料ウェブに設けられる。これに適用可能な本発明による方法を次に図３にて説明する：
【００３３】
図３ａには、材料ウェブ５０（この材料ウェブからはおむつ２の前方および／または後方の側方部片２０、２２が形成される）の供給および形成が概略的に示されている。図３ｂには、おむつ主要部４を形成する主要部ウェブ６８の速度ｖ１での供給が概略的に示されている。材料ウェブ５０は縦方向２８に（縦方向製造）速度Ｖ２で送られる。股範囲１０と向い合う側方部片の側面における側方部片２０、２２の後からの輪郭倣いの形成のために、材料ウェブ５０にて開口部５２が切り抜かれる、つまりこの開口部５２は材料ウェブ５０の平面にてその全周が取り囲まれている。開口部５２の形成前もしくは形成後に例示されたケースでは止着手段３４が製造方向に連続する２つの開口部５２の間に付加される。これは、例えばストリップ状の止着テープの形の、それ自体公知の粘着的および／または機械的に付着する止着手段３４である。
【００３４】
Ｚ字形の折りもしくは経本折りが生じるように材料ウェブ５０は折りステーション５４で既に、縦方向２８に延びる複数の折り線３６、３８で外から内に向かってそれ自体に折り畳み込まれている。分割ステーション５６では材料ウェブ５０は縦方向２８に分割され、その結果、２つの部分ウェブ５８が縦方向２８にさらに送られる。
【００３５】
交差ステーション６０では部分ウェブ５８は互いに交差して送られ、その結果、製造方向に対する、というよりむしろ図３に示されていない主要部ウェブに対するサイドの入替えが引き起こされる。分割が縦方向にその場合には、分割の経過が好ましくは開口部５２を中央で又は対称的に貫いて延びるように行なわれ、その結果、縁の開いた材料切欠き部６２が形成される。
【００３６】
縁の開いた材料切欠き部６２が今度はそれぞれ相互に離れて外側を向いているのがわかる。
【００３７】
個別化ステーション６４では縦方向になお依然として連続的な部分ウェブ５８が縦方向２８に交差して部片６６に分離される。この部片６６は次に、図３ｂに示された主要部ウェブ６８に付加されかつそこで後のおむつ主要部４の縦方向縁区分２４、２６に取外し不可能に固定されることができる。
【００３８】
図３ａに概略的に示された連続部分ウェブ５８から切り離れた後の部片６６は唯一つのおむつに割り当てるべき側方部片であってもよいし、あるいはこの部片が縦方向２８ないしは製造方向で連続して送られる２つのおむつの側方部片を形成することも可能である。側方部片は後者のケースではそれから好適かつ合理的に連続ウェブからのおむつの最終的な個別化とともに同様に縦方向に交差して切り取られる。このようなプロセスは、図４に概略的に示されている。部片６６が側方部片２０、２２の形成のためにおむつ主要部４を形成する連続主要部ウェブ６８に取り付けられかつ内向きに折られていることがわかる。各部片６６は、それぞれ縦方向２８ないしは製造方向で連続して送られる２つのおむつの側方部片２０、２２である。図４によるプロセスの場合にはおむつは、縦方向２８で連続して送られるおむつの場合に一おむつの後方範囲８が他のおむつの前方範囲６に続くように製造される。
【００３９】
主要部ウェブ６８の好適なウェブ速度ｖ１および側方部片２０、２２を形成する材料ウェブ５０のＶ２は特許請求項１３〜１５から明らかである。
【００４０】
１つのおむつ製造過程で、図３ａに示した２つの外形線を実施することも可能であり、その際、一方の線によりおむつの前方範囲の側方部片が、そして他方の線により後方範囲の側方部片が提供される。このようにしてその場合には種々のウェブ材料を前方範囲および後方範囲における側方部片の形成に使用することもできる。冒頭で既に、部分ウェブ５８の交差のステップが必ずしも必要ではないことは指摘してある。側方部片は交差ステーション６２前の配置で、主要部を送るウェブに付加され、そこで固定されかつさらに、必要であれば、外側に翻されてもよい。
【００４１】
方法の本発明による実施の形態によって、材料ウェブ５０もしくは部分ウェブ５８が製造方向での縦方向の分割後に連続的に切れ目なく送られてもよいことおよびエッジサイドが開いた材料切欠き部６２が材料ウェブ５０の縦方向の分割後にようやく生じることが達成される。それまでは開口部５２は全側面が取り囲まれておりかつ従って材料の好ましくない上向きのばたつきが発生することなく姿勢安定な状態で搬送されることができる。方法の本発明による実施の形態の場合には、縁が開いた材料切欠き部６２を伴って作業される搬送ライン区分が従来技術に比して最小化されている。ここに本製造方法の本質的な改善がみられる。両側の側方部片のための止着手段３４を一まとめに付加することができることが好適であることがさらに明らかである。縦方向の分割には、前記のとおり、その際、この止着手段３４も含まれる。このことは概略的に図５に示されており、この場合、図面の平面は製造方向に対して垂直であり、図５の破線が分割ステーション５６の縦分割面７０を示している。図６には縦分割面７０の範囲内における材料ウェブ５０への止着手段３４の位置が概略的に示されており、この場合、止着手段３４は、図５と異なり縦分割面７０をまたいでいない。
【図１】
2010527668.tif 000003
【図２ａ】
2010527668.tif 000004
【図２ｂ】
2010527668.tif 000005
【図２ｃ】
2010527668.tif 000006
【図３ａ】
2010527668.tif 000007
【図３ｂ】
2010527668.tif 000008
【図４】
2010527668.tif 000009
【図５】
2010527668.tif 000010
【図６】
2010527668.tif 000011
【国際調査報告】
2010527668.tif 000012
2010527668.tif 000013
2010527668.tif 000014
2010527668.tif 000015
2010527668.tif 000016
2010527668.tif 000017